(57)【要約】【課題】結線作業の作業性の低下を抑えつつ小型化を図る。【解決手段】第２収容部（底壁５０、突壁５６及び結線カバー６）は、第１収容部（電源取付部２１及び電源カバー５）に対して着脱可能に取り付けられ、第１収容部に取り付けられた状態において複数の突壁５６とともに第２収容部を形成するカバー（結線カバー６）とを有する。第１保持部材７及び第２保持部材８は、底壁５０に締結される１つ以上の締結用部品（固定ねじ７４とめねじ部５０３及び取付ねじ８２とめねじ部５０６）によって底壁５０に固定される。１つ以上の締結用部品は、第１収容部内において複数の回路部品４１との間に絶縁距離を確保するように底壁５０に締結される。【選択図】        図５
2018195407.tif 000002
【特許請求の範囲】
【請求項１】
光源を保持する器具本体と、
前記光源に電力を供給して点灯させる電源装置と、
複数の壁を有する箱形に形成されて前記電源装置を収容する第１収容部と、
前記電源装置の入力線と電源ケーブルとの結線部分を収容する箱形の第２収容部と、
前記第２収容部内において前記入力線を保持する第１保持部材と、
前記第２収容部内において前記電源ケーブルを保持する第２保持部材と
を備え、
前記電源装置は、
プリント配線板と、
少なくとも前記プリント配線板の部品面に実装されている複数の回路部品と
を有し、
前記第２収容部は、
前記第１収容部が有する前記複数の壁のうちの１つの壁から前記１つの壁の厚み方向に沿って前記第１収容部の外に向かって突出する複数の突壁と、
前記第１収容部に対して着脱可能に取り付けられ、前記第１収容部に取り付けられた状態において前記複数の突壁とともに前記第２収容部を形成するカバーと
を有し、
前記第１保持部材及び前記第２保持部材は、前記１つの壁に締結される１つ以上の締結用部品によって前記１つの壁に固定され、
前記１つ以上の締結用部品は、前記第１収容部内において前記複数の回路部品との間に絶縁距離を確保するように前記１つの壁に締結される
ことを特徴とする照明器具。
【請求項２】
前記第２保持部材を複数有する
ことを特徴とする請求項１記載の照明器具。
【請求項３】
前記第１収容部は、
前記電源装置が取り付けられる電源取付部と、
一面を開口させた箱形に形成されて前記電源取付部に取り付けられる収容部本体と
を有し、
前記収容部本体は前記１つの壁を含むように構成されている
ことを特徴とする請求項１又は２記載の照明器具。
【請求項４】
前記収容部本体は、前記１つ以上の締結用部品の締結方向と同じ方向から前記電源取付部に取り付けられるように構成されている
ことを特徴とする請求項３記載の照明器具。
【請求項５】
弾性変形することによって前記収容部本体と前記電源取付部の間の隙間を塞ぐ防水部材を有する
ことを特徴とする請求項３又は４記載の照明器具。
【発明の詳細な説明】
【技術分野】
【０００１】
本発明は、照明器具に関し、より詳細には、電源装置を搭載した照明器具に関する。
【背景技術】
【０００２】
電源装置を搭載した照明器具の従来例として特許文献１記載の照明器具を例示する。特許文献１記載の照明器具は、光源モジュールと電源ボックスとで構成される器具本体を備える。光源モジュールは、アルミダイカスト製の本体内に複数個の発光ダイオードを収容して構成されている。電源ボックスは、アルミダイカスト製のボックス本体と蓋とで構成される。ボックス本体内には、外部から導入される電源ケーブルと電気的に接続される端子台、電源ケーブルを介して供給される交流電力を直流電力に変換して光源モジュールに供給する電源装置などが収容される。
【先行技術文献】
【特許文献】
【０００３】
【特許文献１】特開２０１５−８８４３２号公報
【発明の概要】
【発明が解決しようとする課題】
【０００４】
ところで、特許文献１記載の従来例では、電源ボックス内で電源ケーブルと電源装置との結線作業が行われるため、結線作業の作業性の低下を抑えつつ電源ボックスの小型化、ひいては照明器具の小型化を図ることが困難であった。
【０００５】
本発明の目的は、結線作業の作業性の低下を抑えつつ小型化を図ることができる照明器具を提供することである。
【課題を解決するための手段】
【０００６】
本発明の一態様に係る照明器具は、光源を保持する器具本体と、前記光源に電力を供給して点灯させる電源装置と、複数の壁を有する箱形に形成されて前記電源装置を収容する第１収容部とを備える。前記照明器具は、前記電源装置の入力線と電源ケーブルとの結線部分を収容する箱形の第２収容部と、前記第２収容部内において前記入力線を保持する第１保持部材と、前記第２収容部内において前記電源ケーブルを保持する第２保持部材とを備える。前記電源装置は、プリント配線板と、少なくとも前記プリント配線板の部品面に実装されている複数の回路部品とを有する。前記第２収容部は、前記第１収容部が有する前記複数の壁のうちの１つの壁から前記１つの壁の厚み方向に沿って前記第１収容部の外に向かって突出する複数の突壁を有する。前記第２収容部は、前記第１収容部に対して着脱可能に取り付けられ、前記第１収容部に取り付けられた状態において前記複数の突壁とともに前記第２収容部を形成するカバーを有する。前記第１保持部材及び前記第２保持部材は、前記１つの壁に締結される１つ以上の締結用部品によって前記１つの壁に固定される。前記１つ以上の締結用部品は、前記第１収容部内において前記複数の回路部品との間に絶縁距離を確保するように前記１つの壁に締結される。
【発明の効果】
【０００７】
本発明の照明器具は、結線作業の作業性の低下を抑えつつ小型化を図ることができるという効果がある。
【図面の簡単な説明】
【０００８】
【図１】図１は、本発明の一実施形態に係る照明器具の前方から見た斜視図である。
【図２】図２は、同上の照明器具の後方から見た斜視図である。
【図３】図３は、同上の照明器具の一部破断した前面図である。
【図４】図４は、同上の照明器具の後面図である。
【図５】図５は、同上の照明器具の一部省略した右側面断面図である。
【図６】図６は、同上の照明器具の結線カバーを外した分解斜視図である。
【図７】図７は、同上の照明器具の電源カバーを外した分解斜視図である。
【図８】図８は、同上の照明器具の電源カバーを外した状態の後面図である。
【図９】図９は、同上の照明器具の結線カバーを外した状態の後面図である。
【発明を実施するための形態】
【０００９】
以下、本発明に係る照明器具の実施形態について、図面を参照して詳細に説明する。本実施形態の照明器具１は、電源装置を搭載した照明器具であって、特許文献１記載の従来例と同様に、建物の壁面や看板等を照明する用途に用いられる照明器具である。なお、以下の実施形態で説明する構成は本発明の一例にすぎない。本発明は、以下の実施形態に限定されず、本発明の効果を奏することができれば、設計等に応じて種々の変更が可能である。
【００１０】
照明器具１は、図１〜図６に示すように、器具本体２、光源３、電源装置４、電源カバー５、結線カバー６、第１保持部材７、第２保持部材８を備えている。また、照明器具１は、パネルユニット２２とアーム１０を備えることが好ましい。ただし、以下の説明では、図１に矢印で示す方向により、照明器具１の上下、左右、前後の各方向を規定する。
【００１１】
器具本体２は、図１及び図２に示すように、光源収容部２０と電源取付部２１を有する。光源収容部２０は、前面に開口部を有する箱形に形成されている。光源収容部２０の後面に多数の放熱フィン２００が設けられている。光源収容部２０の開口部はパネルユニット２２によって閉塞される。パネルユニット２２は、ガラスなどの透光性を有する材料によって矩形の板状に形成された透光パネル２２０と、透光パネル２２０の周縁部分を保持する矩形枠状の枠体２２１とを有している。パネルユニット２２は、Ｏリングのような静的シールを光源収容部２０の前端部分との間に介在させた状態で光源収容部２０の前面に取り付けられる。つまり、パネルユニット２２と光源収容部２０に囲まれた空間（光源３が収容される空間）がＯリングによってシールされる。
【００１２】
電源取付部２１は、後面に開口部を有する箱形に形成されている（図７及び図８参照）。電源取付部２１の上側の側壁と光源収容部２０の下側の側壁とが結合されている。電源取付部２１の前面には長尺の複数の突起２１０が互いに等間隔かつ平行に並ぶように設けられている（図１参照）。これら複数の突起２１０は、電源取付部２１の前面の表面積を拡大することによって放熱性の向上を図っている。また、電源取付部２１の後面における開口部の周囲には、前方へ凹んだ溝２１１が全周に渡って設けられている（図７及び図８参照）。この溝２１１には、Ｏリング２１２が嵌め込まれる（図５参照）。ここで、電源取付部２１は、例えば、アルミダイカストによって光源収容部２０と一体に形成されることが好ましい。
【００１３】
光源３は、ＬＥＤ（Light Emitting Diode）モジュール３０と、レンズ３１とを有している（図１参照）。ＬＥＤモジュール３０は、例えば、実装基板に実装された１つ以上の青色ＬＥＤチップと、青色ＬＥＤチップを封止する封止樹脂とを有している。ただし、封止樹脂には青色ＬＥＤチップから放射される青色光を黄色光に変換する波長変換部材が混入されている。ＬＥＤモジュール３０は、青色光と黄色光を混合させることで白色光を放射するように構成されている。レンズ３１は、例えば、アクリル樹脂やポリカーボネート樹脂などの透光性を有する合成樹脂で形成されることが好ましい。ここで、照明器具１は、複数（図示例では４つ）の光源３を備えることが好ましい（図１及び図３参照）。これら４つの光源３は、前方から見て上下２列及び左右２列のマトリクス状に並ぶように光源収容部２０の内底面に固定されることが好ましい。
【００１４】
電源装置４は、外部の電源（例えば、商用の交流電源）から電源ケーブル１１を介して供給される交流電力を直流電力に変換する電力変換回路を有することが好ましい。電力変換回路は、例えば、全波整流器、力率改善回路（昇圧チョッパ回路）、ＤＣ／ＤＣコンバータ（降圧チョッパ回路）などで構成されることが好ましい。電源装置４は、矩形板状のプリント配線板４０の表面（後面又は前後両面）に、電力変換回路を構成する種々の回路部品４１、入力端子台４２及び出力端子台４３が実装されて構成されている（図７及び図８参照）。なお、これらの回路部品４１のうちでプリント配線板４０に挿入実装される回路部品（例えば、トランスや電解コンデンサなど）及び入力端子台４２、出力端子台４３は、プリント配線板４０の後面（部品面）に実装されている。入力端子台４２には２本の入力線４２０が電気的に接続されている。また、出力端子台４３には２本の出力線４３０の一端が電気的に接続されている。さらに、２本の出力線４３０の他端が光源収容部２０に収容された４つの光源３（ＬＥＤモジュール３０）と電気的に接続されている。ただし、これら２本の出力線４３０は、電源取付部２１の上側の側壁と光源収容部２０の下側の側壁とを貫通する穴２０１（図１参照）に挿通される。電源装置４は、電源取付部２１の内底面（後面）に取り付けられる。例えば、プリント配線板４０の長手方向の両端部分が電源取付部２１の内底面にねじ止めされることが好ましい（図８参照）。
【００１５】
電源カバー５は、例えば、アルミダイカストにより、底壁５０、上側壁５１、下側壁５２、左側壁５３及び右側壁５４を有し、底壁５０と対向する前面に開口部を有する箱形に形成されることが好ましい（図４〜図７参照）。また、電源カバー５は、下側壁５２、左側壁５３及び右側壁５４の前端から外向きに突出するフランジ５５を有することが好ましい。フランジ５５の四隅には、ねじ挿通孔５５０が１つずつ貫通している。さらに、電源カバー５は、底壁５０の外表面（後面）から後方へ突出する一対の突壁５６を有することが好ましい（図７参照）。
【００１６】
また、底壁５０の後面における各突壁５６の近傍に、ねじ穴５０１を有するボス５００がそれぞれ後方に突出するように形成されている（図６及び図７参照）。さらに、底壁５０の後面における下部の左右方向の中央に、一対のケーブル受け５０２が設けられている。各ケーブル受け５０２は、半円筒面形状に形成されて電源ケーブル１１、１２が収められる凹所を有している。
【００１７】
底壁５０の後面に第１保持部材７と一対の第２保持部材８が取り付けられている（図７参照）。第１保持部材７は、シール部７０と、押さえ金具７１と、フィルタ７２と、フィルタカバー７３と、２本の固定ねじ７４とを有することが好ましい（図５参照）。シール部７０は、ウレタン樹脂などの合成樹脂材料により、長尺の角柱状に形成されている。シール部７０の長手方向の両端に、円形のねじ挿通孔７００がそれぞれ貫通している。また、シール部７０の長手方向の中央に、一対の通線孔７０１が貫通している。さらに、シール部７０の上側のねじ挿通孔７００と上側の通線孔７０１との間に円形の通気孔７０２が貫通している。押さえ金具７１は、ステンレス鋼板などの金属材料により、一面（前面）に開口部を有する長尺の箱形に形成されている。押さえ金具７１の底面における長手方向の両端に、円形のねじ挿通孔７１０がそれぞれ貫通している。また、押さえ金具７１の底面における長手方向の中央に円形の通線孔７１１が貫通している。さらに、押さえ金具７１の底面における上側のねじ挿通孔７１０と通線孔７１１との間に円形の通気孔７１２が貫通している。フィルタ７２は、薄い円板状に形成されることが好ましい。フィルタ７２は、例えば、四ふっ化エチレン樹脂製の多孔質膜により、水や塵などは通さずに空気を通すように構成されている。フィルタカバー７３は、一面（前面）が開放された矩形箱状の蓋部７３０と、蓋部７３０の上端から突出する固定片７３１とを有する。ただし、蓋部７３０と固定片７３１は、ステンレス鋼などの金属材料によって一体に形成されることが好ましい。
【００１８】
第１保持部材７は、２本の固定ねじ７４によって底壁５０にねじ止めされる。より詳細には、押さえ金具７１の各ねじ挿通孔７１０とシール部７０の各ねじ挿通孔７００に固定ねじ７４がそれぞれ挿通され、底壁５０に設けられている２つのめねじ部５０３に各固定ねじ７４がねじ込まれる（図５参照）。ここで、底壁５０には、シール部７０の通線孔７０１と重なる穴５０４と、シール部７０の通気孔７０２と重なる穴５０５とが設けられている。なお、フィルタ７２は、通気孔７０２と重なるようにシール部７０と押さえ金具７１との間に挟み込まれる。また、フィルタカバー７３は、固定片７３１に設けられているねじ挿通孔７３２に固定ねじ７４が挿通されることにより、蓋部７３０によって押さえ金具７１の通気孔７１２を覆うように押さえ金具７１にねじ止めされる。
【００１９】
第２保持部材８は、受け部８０と、押さえ部８１と、２本の取付ねじ８２とを有することが好ましい（図６及び図７参照）。受け部８０は、楕円筒形状に形成されている。受け部８０の長軸方向（左右方向）の両端に、取付ねじ８２が挿通可能な円筒形の穴がそれぞれ貫通している。また、受け部８０の後面における長軸方向の中央に半円筒面形状の凹部８００が形成されている。押さえ部８１は、受け部８０とほぼ同形状の楕円筒形状に形成されている。押さえ部８１の長軸方向（左右方向）の両端に、取付ねじ８２が挿通可能な円筒形の穴がそれぞれ貫通している。また、押さえ部８１の前面における長軸方向の中央に半円筒面形状の凹部８１０が形成されている。なお、受け部８０及び押さえ部８１は、例えば、合成樹脂で形成されることが好ましい。
【００２０】
第２保持部材８は、２本の取付ねじ８２によって底壁５０にねじ止めされる。より詳細には、押さえ部８１の各穴から受け部８０の各穴に取付ねじ８２が挿通され、底壁５０に設けられているめねじ部５０６に各取付ねじ８２がねじ込まれる（図５参照）。
【００２１】
結線カバー６は、矩形平板状の天板６０と、天板６０の上端縁から斜め上前方へ突出する第１側板６１と、天板６０の下端縁から斜め下前方へ突出する第２側板６２とを有する（図２、図６及び図７参照）。天板６０の左右方向の両端における上下方向のほぼ中央に、円形の穴６００が貫通している。また、天板６０の上端における左右方向の中央に、半円筒形の第１凹部６０１が形成されている。さらに、天板６０の下端における左右方向の中央に、半円筒形の第２凹部６０２が２つ形成されている。
【００２２】
第１側板６１の左右方向の中央に、前後方向を長手方向とする穴６１０が貫通している（図６参照）。ただし、第１側板６１の穴６１０は、天板６０の第１凹部６０１と繋がっている。第２側板６２の左右方向の中央に、前後方向を長手方向とする２つの穴６２０が貫通している。ただし、第２側板６２の２つの穴６２０は、天板６０の２つの第２凹部６０２のうちの対応する１つの第２凹部６０２とそれぞれ繋がっている（図２参照）。
【００２３】
アーム１０は、ステンレス鋼板などの金属板によってＵ字形状に形成されることが好ましい。アーム１０の長手方向の両端が器具本体２の電源取付部２１の左側面の上部並びに右側面の上部にそれぞれねじ止めされる（図３参照）。ただし、アーム１０は、電源取付部２１に取り付けられている２本のねじ１００を支点として回転可能に器具本体２に取り付けられている。
【００２４】
次に、照明器具１の組立手順を説明する。ただし、以下の説明においては、光源収容部２０に対する光源３の組立作業については省略する。組立作業を行う作業者は、電源装置４のプリント配線板４０を電源取付部２１の内底面（前面）にねじ止めする。さらに、作業者は、器具本体２の穴２０１に挿通された２本の出力線４３０を出力端子台４３に電気的に接続する（図８参照）。
【００２５】
続いて、作業者は、入力端子台４２に電気的に接続された２本の入力線４２０（口出し線）を、第１保持部材７のシール部７０に設けられている２つの通線孔７０１に１本ずつ挿通する。その後、作業者は、電源取付部２１の溝２１１にＯリング２１２を収容し、電源カバー５を電源取付部２１に後方から被せる。そして、作業者は、フランジ５５の四隅のねじ挿通孔５５０に４本のねじを１本ずつ挿通し、各ねじを電源取付部２１に設けられている４つのねじ穴２１３に１本ずつねじ込むことにより、電源カバー５と電源取付部２１を結合する。その結果、電源取付部２１と電源カバー５とで構成される第１収容部に電源装置４が収容される。なお、第１収容部はＯリング２１２によってシールされる（図５参照）。
【００２６】
続いて、作業者は、第１保持部材７及び２つの第２保持部材８を結線カバー６で覆うように電源カバー５の後面に結線カバー６を被せる。それから、作業者は、天板６０の２つの穴６００に１本ずつねじを挿通し、各ねじを電源カバー５の底壁５０のボス５００のねじ穴５０１にねじ込むことにより、結線カバー６と電源カバー５を結合する。その結果、電源カバー５の底壁５０及び一対の突壁５６と結線カバー６とで構成される第２収容部に第１保持部材７及び第２保持部材８が収容される（図２及び図５参照）。このようにして照明器具１の組立作業が完了する。
【００２７】
次に、照明器具１に電源ケーブル１１、１２を結線する作業の手順を説明する。ただし、電源ケーブル１１は送り配線において引き込まれる方の電源ケーブルであり、電源ケーブル１２は送り配線において引き出される方の電源ケーブルである。電源ケーブル１１は、３本の電線（電圧線１１０、中性線１１１及び接地線１１２）と、３本の電線１１０〜１１２を被覆するシース１１３とを有する。同じく電源ケーブル１２は、３本の電線（電圧線１２０、中性線１２１及び接地線１２２）と、３本の電線１２０〜１２２を被覆するシース１２３とを有する（図９参照）。
【００２８】
まず、結線作業を行う作業者は、各電源ケーブル１１、１２の先端部分のシース１１３、１２３を剥いて３本の電線を露出させる。それから、作業者は、電源カバー５から結線カバー６を取り外し、後方から見て左側の第２保持部材８に電源ケーブル１１を保持させる（図９参照）。同様に、作業者は、後方から見て右側の第２保持部材８に電源ケーブル１２を保持させる。このように作業者は各電源ケーブル１１、１２を第２保持部材８によって張力止めすることにより、電源ケーブル１１、１２にかかる張力の低減を図ることができる。
【００２９】
続いて、作業者は、各電源ケーブル１１、１２の接地線１１２、１２２の導体を電源カバー５に設けられている接地端子部５７に電気的に接続する（図９参照）。接地端子部５７は、例えば、ねじ穴を有して底壁５０から後方に突出する円筒形のボスによって構成されることが好ましい。なお、作業者は、接地線１１２、１２２の導体に圧着端子をそれぞれ接続し、それらの圧着端子に挿通したねじ１３を接地端子部５７のねじ穴にねじ込むことによって２本の接地線１１２、１２２を接地端子部５７に電気的に接続することが好ましい（図９参照）。
【００３０】
次に、作業者は、電源ケーブル１１、１２の各電圧線１１０、１２０の導体と片方の入力線４２０の導体とをスリーブによって電気的に接続する。さらに、作業者は、スリーブ、電圧線１１０、１２０及び入力線４２０の導体に自己融着テープを巻き付けた後、自己融着テープの上に絶縁テープ１４を巻き付ける（図９参照）。同じく、作業者は、電源ケーブル１１、１２の各中性線１１１、１２１の導体ともう片方の入力線４２０の導体とをスリーブによって電気的に接続する。さらに、作業者は、スリーブ、中性線１１１、１２１及び入力線４２０の導体に自己融着テープを巻き付けた後、自己融着テープの上に絶縁テープ１４を巻き付ける。このようにして、２本の電圧線１１０、１２０と１本の入力線４２０が電気的に接続されるとともに、２本の中性線１１１、１２１と他の１本の入力線４２０が電気的に接続される。
【００３１】
続いて、作業者は、後方から見て左側のケーブル受け５０２に電源ケーブル１１を収め、後方から見て右側のケーブル受け５０２に電源ケーブル１２を収める（図９参照）。最後に、作業者は、電源カバー５に結線カバー６を取り付ける。このとき、ケーブル受け５０２に収められた２本の電源ケーブル１１、１２は、結線カバー６の第２側板６２に設けられている２つの穴６２０を通して第２収容部の外に引き出される（図４参照）。このようにして電源ケーブル１１、１２の結線作業が完了する。
【００３２】
ところで、特許文献１記載の従来例では、一面に開口部を有する箱形のボックス本体と、ボックス本体の開口部を塞ぐ蓋とで構成される電源ボックス内に電源装置が収容され、電源装置と電源ケーブルとの結線作業もボックス本体内で行われていた。
【００３３】
一方、本実施形態の照明器具１では、電源装置４が収容される第１収容部（電源取付部２１及び電源カバー５）と、電源装置４の入力線４２０と電源ケーブル１１、１２が収容される第２収容部（底壁５０、突壁５６及び結線カバー６）とが分離されている。さらに、照明器具１は、固定ねじ７４と締結されるめねじ部５０３と、取付ねじ８２と締結されるめねじ部５０６とを底壁５０から第１収容部内に突出させている。そのため、照明器具１は、電源装置４を収容するための空間（第１収容部）の容積を減らしつつ結線作業のための空間（第２収容部）の容積の減少を抑えて電源ケーブル１１、１２の結線作業の作業性の低下を抑えることができる。ただし、照明器具１は、金属製の電源カバー５と一体に形成されているめねじ部５０３、５０６と、電源装置４の回路部品４１との間に必要十分な絶縁距離を確保する必要がある。そこで、照明器具１は、電源カバー５の底壁５０において、前後方向から見て背の高い回路部品４１と重ならない位置（出力端子台４３と背の高い回路部品４１に囲まれた空間）に各めねじ部５０６を配置している。これにより、照明器具１は、プリント配線板４０の部品面（後面）から底壁５０までの高さの増加を抑えつつめねじ部５０３、５０６と電源装置４の回路部品４１との間に必要十分な絶縁距離を確保することができる。また、照明器具１の器具本体２では、２本の電源ケーブル１１、１２を送り配線することにより、複数の照明器具１に電源を供給する際、送り配線によって複数の照明器具１を一纏めにして配線することかできる。
【００３４】
さらに、照明器具１では、電源カバー５の底壁５０が第２収容部の底を含むように形成されている。言い換えると、電源カバー５の底壁５０が第２収容部の底面を形成している。このため、照明器具１は、部品点数の削減による製造コストの低減を図ることができる。
【００３５】
また、照明器具１の製造工程において、電源取付部２１に対する電源装置４及び電源カバー５の取付作業及び電源カバー５に対する結線カバー６の取付作業は、全て同じ方向（後から前）に向けて行われる。つまり、照明器具１を組み立てる作業者は、器具本体２の電源取付部２１に対して、電源装置４、電源カバー５及び結線カバー６を一方向（後から前へ向かう方向）からねじ止めして取り付けることができる。その結果、照明器具１は、組立作業の作業性の向上を図ることができる。
【００３６】
さらに、照明器具１では、電源取付部２１と電源カバー５とで構成される第１収容部がＯリング２１２によってシールされている。そのため、照明器具１は、密閉された容器に電源装置４を収納する必要がないので、第１収容部の小型化を図ることができる。しかも、電源装置４の入力線４２０を第１収容部の外に引き出すための穴５０４が第１保持部材７のシール部７０でシールされるため、電源カバー５と結線カバー６とをシールする構造が不要である。
【００３７】
ところで、器具本体２の光源収容部２０には、落下防止ワイヤの一端が固定される固定部２３が設けられている。固定部２３は、例えば、めねじからなり、光源収容部２０の下面における左右方向の中央に設けられることが好ましい（図４参照）。落下防止ワイヤは、光源収容部２０と電源取付部２１の間の隙間を通して器具本体２の後方へ引き出される。
【００３８】
上述のように照明器具１は、光源３を保持する器具本体２と、光源３に電力を供給して点灯させる電源装置４と、複数の壁を有する箱形に形成されて電源装置４を収容する第１収容部（電源取付部２１及び電源カバー５）とを備える。照明器具１は、電源装置４の入力線４２０と電源ケーブル１１、１２との結線部分を収容する箱形の第２収容部（底壁５０、突壁５６及び結線カバー６）と、第２収容部内において入力線４２０を保持する第１保持部材７とを備える。照明器具１は、第２収容部内において電源ケーブル１１、１２を保持する第２保持部材８を備える。電源装置４は、プリント配線板４０と、少なくともプリント配線板４０の部品面に実装されている複数の回路部品４１とを有する。第２収容部は、第１収容部が有する複数の壁のうちの１つの壁（底壁５０）から底壁５０の厚み方向（前後方向）に沿って第１収容部の外に向かって突出する複数の突壁５６とを有する。第２収容部は、第１収容部に対して着脱可能に取り付けられ、第１収容部に取り付けられた状態において複数の突壁５６とともに第２収容部を形成するカバー（結線カバー６）とを有する。第１保持部材７及び第２保持部材８は、底壁５０に締結される１つ以上の締結用部品（固定ねじ７４とめねじ部５０３及び取付ねじ８２とめねじ部５０６）によって底壁５０に固定される。１つ以上の締結用部品は、第１収容部内において複数の回路部品４１との間に絶縁距離を確保するように底壁５０に締結される。
【００３９】
照明器具１は上述のように構成されるので、電源装置４が収容される第１収容部と、電源装置４の入力線４２０と電源ケーブル１１、１２が収容される第２収容部とを分離し、結線作業の作業性の低下を抑えつつ小型化を図ることができる。
【００４０】
照明器具１において、第２保持部材８を複数有することが好ましい。
【００４１】
照明器具１は上述のように構成されるので、複数の第２保持部材８によって引込み用の電源ケーブル１１と、引き出し用の電源ケーブル１２とを張力止めして電源ケーブルを送り配線することができる。
【００４２】
照明器具１において、第１収容部は、電源装置４が取り付けられる電源取付部２１と、一面を開口させた箱形に形成されて電源取付部２１に取り付けられる収容部本体（電源カバー５）とを有することが好ましい。電源カバー５は底壁５０を含むように構成されていることが好ましい。
【００４３】
照明器具１は上述のように構成されるので、部品点数の削減による製造コストの低減を図ることができる。
【００４４】
照明器具１において、電源カバー５は、１つ以上の締結用部品の締結方向と同じ方向から電源取付部２１に取り付けられるように構成されていることが好ましい。
【００４５】
照明器具１は上述のように構成されるので、組立作業の作業性の向上を図ることができる。
【００４６】
照明器具１において、弾性変形することによって電源カバー５と電源取付部２１の間の隙間を塞ぐ防水部材（Ｏリング２１２）を有することが好ましい。
【００４７】
照明器具１は上述のように構成されるので、電源取付部２１と電源カバー５とで構成される第１収容部がＯリング２１２によってシールされ、密閉された容器に電源装置４を収納する必要がない。その結果、照明器具１は、第１収容部の小型化を図ることができる。
【符号の説明】
【００４８】
１  照明器具
２  器具本体
３  光源
４  電源装置
５  電源カバー（第１収容部）
６  結線カバー（カバー）
７  第１保持部材
８  第２保持部材
１１  電源ケーブル
１２  電源ケーブル
２１  電源取付部（第１収容部）
４０  プリント配線板
４１  回路部品
５０  底壁
７４  固定ねじ（締結用部品）
８２  取付ねじ（締結用部品）
２１２  Ｏリング（防水部材）
４２０  入力線
５０３  めねじ部（締結用部品）
５０６  めねじ部（締結用部品）
【図１】
2018195407.tif 000003
【図２】
2018195407.tif 000004
【図３】
2018195407.tif 000005
【図４】
2018195407.tif 000006
【図５】
2018195407.tif 000007
【図６】
2018195407.tif 000008
【図７】
2018195407.tif 000009
【図８】
2018195407.tif 000010
【図９】
2018195407.tif 000011